(57)【要約】【課題】一定期間、管理者等に商品等の代金を支払わなかった会員と管理者等に代金を支払った会員とを区別し、公平な会員組織を構築する。【解決手段】需要者４は端末機５を用いてサーバー３にアクセスし、商品等の提供を受け、会員６として登録し、他の需要者を紹介して会員６を増やし、サーバー３上において、紹介された会員６を紹介者の下に繋げて組織を構築し、紹介された会員６が商品等の代金を支払った場合に、当該会員６の紹介者にコミッション等を支払うマルチレベルマーケティングシステムにおけるコンピュータプログラムであって、当該管理者等１に下流の会員６の前記代金が支払われた際、サーバー３において上流の各段の会員６のうち、一定期間に一定額以上の商品等の代金を支払っているかどうかを比較し、支払っていない会員６については、その会員６を飛び越して、上流の所定段数の会員６にコミッション等を支払う。【選択図】      図２
2013084209.tif 000002
【特許請求の範囲】
【請求項１】
需要者はＰＣ等の端末機を用いてサーバーにアクセスし、商品又は役務の提供を受け、また会員として登録し、他の需要者を紹介して会員を増やし、サーバーにおいて、紹介された会員を紹介者の下に繋げて組織を構築し、紹介された会員が商品又は役務の提供の対価を支払った場合に、当該会員の紹介者にコミッション又はボーナスを支払うマルチレベルマーケティングシステムにおいて、下流の会員が当該組織の商品の購入又は役務の提供を受けた場合、前記サーバーにおいて、上流の各段の会員のうち、第１の一定期間内において、一定額以上の商品又は役務の対価を支払っているかどうかを比較し、支払っていない会員については、その会員を飛び越して、上流の所定段数の会員にコミッション又はボーナスを与える構成としたことを特徴とする、マルチレベルマーケティングシステムにおける組織構築方法のコンピュータプログラム。
【請求項２】
前記第１の一定期間より長い、第２の一定期間において一定額以上の商品又は役務の対価を支払っているかどうかをチェックし、支払っていない会員はコミッション受領権が喪失され、当該会員に紹介された会員は、コミッション受領権が喪失した会員の紹介者である会員の下に繋げられる構成としたことを特徴とする、請求項１に記載のマルチレベルマーケティングシステムにおける組織構築方法のコンピュータプログラム。
【請求項３】
前記コミッション又はボーナスを受ける上流会員の所定段数は、会員を直接紹介した数によって所定段数が決まる商品群と、当該会員が当該組織の商品の購入又は役務の提供を受けた対価の額によって所定段数が決まる商品群とが設けられ、当該会員の所定段数が多い商品群の所定段数とすることを特徴とする、請求項１又は２に記載のマルチレベルマーケティングシステムにおける組織構築方法のコンピュータプログラム。
【発明の詳細な説明】
【技術分野】
【０００１】
この発明は、マルチレベルマーケティングシステム（以下、「ＭＬＭシステム」という）に関するものである。
【背景技術】
【０００２】
ＭＬＭシステムでは、組織の管理者が商品又は役務（以下、「商品等」という）を提供するシステムにおいて、組織に会員として登録した商品等の需要者が、他の需要者を紹介し、紹介された需要者がまた当該組織の会員となり、かつ、当該組織の管理者から商品等の提供を受け、これらの会員が、さらに他の需要者を紹介し、これらの紹介された需要者が当該組織の管理者から商品等の提供を受ける。
【０００３】
このようにして、次々と当該商品等の需要者を紹介し、さらに会員として登録することにより会員の組織が膨らむと同時に組織の管理者の商品等の提供が活発となり、組織の管理者に利益をもたらす。その中で、需要者が組織の管理者から商品等の提供を受けると、当該需要者を紹介した会員及び当該会員の複数段の上流の会員にコミッション又はボーナス（以下、「コミッション等」という）が組織の管理者から提供され、紹介者に利益をもたらすことが行われている。
【０００４】
このような、ＭＬＭシステムの中でも、バイナリシステムと称する２方向ＭＬＭシステムの組織構築法は、特許文献１〜３に示すように、会員のダウンラインに２系列しか紹介者のラインが作れないという制限を設けたシステムであり、仮に第１番目の会員が他に２人の会員を紹介し、さらに３人目の紹介者が発生した場合、既に登録されているダウンラインの２人の下に紹介者をつけるシステムがある。
【０００５】
また、これとは別に、ユニレベル方式では、各会員は何人もの会員を紹介できる。従って、組織上は、紹介した会員の下に、紹介された複数の会員が何人であっても直接接続され、組織の膨らみは横に広がる等アトランダムとなる。
【０００６】
【特許文献１】特開２００２−２５９７８４号公報
【特許文献２】特開２００２−３２９０５２号公報
【特許文献３】特開２００３−１２２８８３号公報
【発明の開示】
【発明が解決しようとする課題】
【０００７】
しかしながら、上記バイナリ方式においては、上述の様に、第１番目の会員が第３番目の会員を紹介した場合、既に登録されているダウンラインの２人の下に紹介者をつけることとなり、紹介した第１番目の会員にとって不公平となり、第３番目以降の会員を紹介しよとする気をそぐ恐れがある。
【０００８】
この点、ユニレベル方式では、何人でも会員を紹介しようという気を起こさせる。しかし、一定期間以上組織の管理者の商品等の提供を受けない会員に、その下位又は下段の会員が商品等の提供を受けた場合にコミッション等がもらえるのは、不公平である。また、上記のような組織が出来上がったけれども、一定期間以上組織の管理者の商品等の提供を受けない会員が出てくる。その様な会員は組織から外し、常に組織を活性化しなければならない。
【０００９】
そこで、この発明は、ユニレベル方式を採用しつつ、一定期間、当該組織の管理者から商品等の提供を受けなかった会員とその間組織を利用した会員とを区別し、公平な会員組織を構築でき、これにより会員の紹介を活発にして、組織の拡大を図ることが出来るＭＬＭシステムにおける組織構築方法のコンピュータプログラムを提供することを目的としたものである。
【課題を解決するための手段】
【００１０】
請求項１の発明は、需要者はＰＣ等の端末機を用いてサーバーにアクセスし、商品等の提供を受け、また会員として登録し、他の需要者を紹介して会員を増やし、サーバーにおいて、紹介された会員を紹介者の下に繋げて組織を構築し、紹介された会員が商品等の提供の対価を支払った場合に、当該会員の紹介者にコミッション等を支払うＭＬＭシステムにおけるコンピュータプログラムにおいて、下流の会員が当該組織の商品等の提供を受けた場合、前記サーバーにおいて、上流の各段の会員のうち、第１の一定期間内において、一定額以上の商品等の対価を支払っているかどうかを比較し、支払っていない会員については、その会員を飛び越して、上流の所定段数の会員にコミッション等を与える構成のＭＬＭシステムにおける組織構築方法のコンピュータプログラムとした。
【００１１】
また、請求項２の発明は、請求項１の発明において、サーバーでは、各会員につき、前記第１の一定期間より長い第２の一定期間において一定額以上の商品等の対価を支払っているかどうかをチェックし、支払っていない会員は組織から外し、その会員の下段の紹介会員を、前記組織から外した会員の直上の紹介者である会員の紹介会員として、繋ぎかえる構成とした、ＭＬＭシステムにおける組織構築方法のコンピュータプログラムとした。
【００１２】
また、請求項３の発明は、請求項１又は２の発明において、前記コミッション又はボーナスを受ける上流会員の所定段数は、会員を直接紹介した数によって所定段数が決まる商品群と、当該会員が当該組織の商品等の対価の額によって所定段数が決まる商品群とが設けられ、当該会員の所定段数が多い商品群の所定段数とするＭＬＭシステムにおける組織構築方法のコンピュータプログラム。
【発明の効果】
【００１３】
請求項１の発明によれば、一定期間内において、各会員の組織の利用状況をチェックし、一定額以上の利用及び代金の支払いをしている会員のみについて、コミッション等を与えることとするため、公平な会員組織を構築でき、これにより会員の紹介を活発にして、組織の拡大を図ることが出来る。
【００１４】
また、請求項２の発明によれば、第１の一定期間より長い第２の一定期間において、一定額以上の商品等の対価を支払っていない会員は、組織から外し、他の会員との公平性を図るとともに、除外された会員の紹介を受けて会員となった下段の会員を、除外された会員を紹介した、その上の段の会員の下に繋げることにより、組織内の公平性を保つようにした。
【００１５】
また、請求項３の発明によれば、組織の拡充を得意とする会員は、組織拡充を中心に活動し、多くの所定段数によるコミッション等の受領権を獲得することが出来、また、組織拡充を不得意とする会員は、自身の商品等の購入実績を増やすことにより、多くの所定段数によるコミッション等の受領権を獲得することが出来る。以上により、会員自身が活動領域をいつも自由に選択できる構成とし、組織の活性化を高めることが出来る。
【発明を実施するための最良の形態】
【００１６】
この発明は、需要者はＰＣ等の端末機を用いてサーバーにアクセスし、商品等の提供を受け、また会員として登録し、他の需要者を紹介して会員を増やし、サーバーにおいて、紹介された会員を紹介者の下に繋げて組織を構築し、紹介された会員が商品等の提供の対価を支払った場合に、当該会員の紹介者にコミッション等を支払うＭＬＭシステムにおけるコンピュータプログラムにおいて、下流の会員が当該組織の商品等の提供を受けた場合、前記サーバーにおいて、上流の各段の会員のうち、第１の一定期間内において、一定額以上の商品等の対価を支払っているかどうかを比較し、支払っていない会員については、その会員を飛び越して、上流の所定段数の会員にコミッション等を与える構成のＭＬＭシステムにおける組織構築方法のコンピュータプログラムである。
【００１７】
これにより、公平な会員組織を構築でき、これにより会員の紹介を活発にして、組織の拡大を図ることができる。
【実施例１】
【００１８】
以下、この発明の実施例１を図に基づいて説明する。図１はこの発明のシステムの概略構成図、図２はサーバー上で構築される会員の組織図である。
【００１９】
ＭＬＭシステムにおいては、図１に示すように、ネット販売等が基本となっている。ネット販売では、会社、団体組織、個人などの管理者等１はインターネット２上にサーバー３を置き、当該管理者等１のサーバー３のサイトには、提供する多数の商品等が表示されている。需要者４はＰＣや携帯電話等の端末機５で、インターネット２を介して前記サーバー３のサイトにアクセスし、気に入った商品等を注文する。これにより、管理者等１はサーバー３で注文を受け、需要者４に注文の商品等を提供する。これらは、サーバー３に記録される。そして、需要者４からその代金が入金されるとそれもサーバー３に記録される。
【００２０】
さらに、ＭＬＭシステムにおける前記需要者４は、注文した商品等を気に入る等の理由で、前記端末機５から、インターネット２を通じて、管理者等１のサーバー３にアクセスして会員登録（代理店登録）することができる。その際、サーバー３には、会員６の個人情報等が記録される。そして、当該会員６は端末機５から前記サーバー３にアクセスして商品等を注文する。管理者等１は当該注文を受けると、当該会員６に商品等を提供するとともに、当該サーバー３では各会員６の商品等の提供履歴が記録され、一定期間、例えば、月単位で合算記録される。
【００２１】
また、登録した会員６が他の需要者を紹介し、当該他の需要者が会員登録すると、前記サーバー３では、これが記録されるとともに紹介者の下段に、紹介された会員６が登録される。このようにしてサーバー３では、第１紹介者から第２紹介者へと順にその下に紹介者を繋げて多段階の組織が前記サーバー３上で構築されていく。
【００２２】
図２において、会員６−アは、需要者イ、ウ、エ、オ、カを紹介し、これらの需要者は会員６−イ、会員６−ウ、会員６−エ、会員６−オ、会員６−カとして会員登録した。前記会員６−イは需要者キ、クを紹介し、需要者キ、クは会員６−キ、会員６−クとして登録した。前記会員６−オは需要者ケ、コ、サを紹介し、これらの需要者ケ、コ、サは会員６−ケ、会員６−コ、会員６−サとして会員登録した。前記会員６−クは需要者シ、ス、セを紹介し、これらの需要者シ、ス、セは会員６−シ、会員６−ス、会員６−セとして会員登録した。
【００２３】
前記会員６−サは需要者ソ、タ、チ、ツを紹介し、これらの需要者ソ、タ、チ、ツは会員６−ソ、会員６−タ、会員６−チ、会員６−ツとして会員登録した。前記会員６−スは需要者テを、前記会員セは需要者ト、ナを、前記会員タは需要者ニ、ヌを夫々紹介し、これらの需要者テ、ト、ナ、ニ、ヌは夫々会員６−テ、会員６−ト、会員６−ナ、会員６−ニ、会員６−ヌとして会員登録した。前記会員６−テは需要者ネ、ノを、前記会員６−ナは需要者ハを、前記会員６−ニは需要者ヒを、前記会員６−ヌは需要者フ、へを夫々紹介し、これらの需要者ネ、ノ、ハ、ヒ、フ、ヘは夫々会員６−ネ、会員６−ノ、会員６−ハ、会員６−ヒ、会員６−フ、会員６−ヘとして会員登録した。前記会員６−ヒは需要者ホを紹介し、需要者ホは会員６−ホとして会員登録した。前記会員６−ホは需要者マを紹介し、需要者マは会員６−マとして会員登録した。紹介された会員６は夫々紹介した会員６の下の段につき、図２のように組織化される。
【００２４】
この様な組織において、下段の会員６が前記端末機５から前記サーバー３にアクセスして当該管理者等１の商品等の提供を受けた場合、これをサーバー３に記録するとともに、管理者等１は当該下段の会員６より上段の会員である紹介者を遡って特定の複数段の会員にコミッション等を提供する仕組みとなっている。
【００２５】
この所定段数を何段かに特定するのは、商品群ごとに異なる。例えば、表１に示すように、商品群Ａでは、当該下段の会員６が直接紹介をした会員６であって、かつ、１ヶ月に３０００円以上の金額を管理者等１に支払っている人数によって当該会員６から何段まで遡った会員までコミッション等が支払われるか異なる。このような紹介会員６が０人の場合は３段遡った会員６までコミッション等が支払われる。また、前記紹介会員６が１人から４人の場合は５段遡る、というようになっている。
【００２６】
また、商品群Ｂでは、管理者等１への１ヶ月の支払い金額によって、前記下段の会員６から何段遡った会員６までコミッション等が支払われるかが決まっている。例えば、表１に示すように、１ヶ月で６，０００円〜１８，９９９円支払った会員６の場合は５段遡り、１ヶ月で１９，０００円〜２４，９９９円支払った場合は、７段まで遡ってコミッション等が支払われるようになっている。
【００２７】
【表１】
2013084209.tif 000003
【００２８】
その際、前記サーバー３では、上流の複数段の各会員６（紹介者）が、例えば、１ヶ月の間に一定金額以上の商品等の代金を支払っているかどうかを比較し、一定額以上の商品又は役務の対価を支払っていない会員６については、その会員６を飛び越して、上流の所定段数の会員６にそれぞれコミッション等を支払う。そして、１ヶ月の間に一定額以上の商品等の対価を支払っていない会員６については、コミッション等を支払われない。つまり、コミッション等を付与するかどうかの判断の際、一時的に組織を圧縮するものである。
【００２９】
さらに、会員６へ支払う段数の特定は、商品群Ａによる所定段数、及び商品群Ｂにより所定段数を特定し、当該会員６へ支払う所定段数が多い商品群により算出された所定段数によりコミッション等が支払われるようになっている。会員６には、他の需要者を紹介する等の組織の拡充を得意とする人と、他の需要者を紹介する等の組織拡充を不得意とする人がいる。組織拡充を中心に活動する人は商品群Ａを選ぶし、そうでない会員は、専ら自分で管理者等１から商品等を多数購入し、管理者等１への支払いを目安とする商品群Ｂを選ぶので、どのようなタイプの会員６に対しても、組織の活動を活性化させる機会が与えられるものである。
【００３０】
また、前記サーバー３では、前記第１の一定期間より長い、第２の一定期間、例えば、３ヶ月間において、一定額以上の商品等の対価を継続して支払っていない会員４は、これまで会員４が紹介した複数段の下流会員及び需要者の商品等の提供実績に応じて組織の管理者から支給されるコミッション等を受領する権利（以下、「コミッション受領権」という）が喪失し、図３に示すように、会員４により紹介されて会員となった会員の下段の会員は、会員４を紹介した会員４の直上の紹介者である会員４の下に繋がれる。図３では、会員サが３ヶ月以上一定額を支払っていないため、会員サはコミッション受領権が喪失するとともに、当該会員サにより紹介されて会員となった会員ソ、タ、チ、ツは、会員サを紹介した会員オの下に繋がれる。
【００３１】
また、会員スが３ヶ月以上一定額を支払っていないため、会員スはコミッション受領権が喪失するとともに、当該会員スにより紹介されて会員となった会員テは、会員スを紹介した会員クの下に繋がれる。また会員ヒが３ヶ月以上一定額を支払っていないため、会員ヒはコミッション受領権が喪失するとともに、当該会員ヒにより紹介されて会員となった会員ホは、会員ヒを紹介した会員ニの下に繋がれる。
【００３２】
このようにして、前記第１の一定期間より長い、第２の一定期間の間に、一定金額以上の代金支払いがない会員は、コミッション受領権が喪失され、当該会員に紹介された会員は、コミッション受領権が喪失した会員の紹介者である会員の下に繋げられる（ロールアップ）。
【００３３】
これにより、常に当該管理者等１の商品等の提供を経常的に受けている会員の組織が構築され、これらの会員は商品等の提供を受ける際の代金が値引きされるとともに、自己が紹介した登録会員が当該管理者等１の商品等の提供を受けた場合にコミッション等が受けられるように組織を構築し、これにより、商品等の利用を活性化させるものである。
【００３４】
なお、上記実施例では、サーバー３上の組織は登録された会員により構築されているが、実質が同じであれば、会員登録ではなく、代理店登録としても良い。また、上記実施例では管理者等１から会員６への送金をコミッション等としているが、このコミッション等はボーナス、その他の名称であっても、実質的にコミッションと同じものであれば当該発明に含まれる。
【図面の簡単な説明】
【００３５】
【図１】この発明の実施例１の概略構成図である。
【図２】この発明の実施例１のサーバー上で構築される会員の組織図である。
【図３】この発明の実施例１のサーバー上で改変された会員の組織図である。
【符号の説明】
【００３６】
１    管理者等                      ２      インターネット
３    サーバー                      ４      需要者
５    端末機                        ６      会員      
【図１】
2013084209.tif 000004
【図２】
2013084209.tif 000005
【図３】
2013084209.tif 000006